(57)【特許請求の範囲】
【請求項１】
筐体（１）を構成する左右一対の側板（４ａ）（４ｂ）間に略水平に架設される中間棚（１５）を備えた遊技機において、前記中間棚（１５）は、一方の第１側板（４ｂ）に固定される第１部材（４１）と、他方の第２側板（４ａ）に固定される第２部材（４２）とで構成され、前記第１部材（４１）は、前記第１，第２側板（４ａ）（４ｂ）間に略水平に配置される棚板部（４３）と、この棚板部（４３）の前記第１側板（４ｂ）側端部に設けられ且つ前記第１側板（４ｂ）に固定される第１固定部（４５）とを備え、前記第２部材（４２）は、前記第２側板（４ａ）に固定される第２固定部（５６）と、前記棚板部（４３）の前記第２側板（４ａ）側端部を支持する棚受部（５４）とを備え、前記棚板部（４３）と前記棚受部（５４）とを互いに係合したことを特徴とする遊技機。
【発明の詳細な説明】
【技術分野】
【０００１】
本発明は、スロットマシン等の遊技機に関するものである。
【背景技術】
【０００２】
各種遊技機のうち、例えばスロットマシンは、前側が開放した矩形箱形の本体ケースと、この本体ケースの前側に開閉自在に装着された矩形状の前面パネルとよりなる筐体内に、図柄表示リールユニット等が配置された構成となっている。
【０００３】
一般的なスロットマシンでは、この図柄表示リールユニットは、重量物であるために前面パネル側ではなく本体ケース側に固定されている場合が多い。即ち、本体ケースを構成する左右の側板間に棚板を水平に架設し、その棚板上に図柄表示リールユニットを設置したものが主流となっている（特許文献１参照）。
【０００４】
この棚板は、例えばその両端側に一体に設けられた固定部を側板に直接ネジ止めしたり、或いは断面Ｌ型等の取付金具を予め左右の側板に固定し、更に棚板の左右両端側をそれら取付金具に載せて固定することにより筐体に取り付けられている。
【先行技術文献】
【特許文献】
【０００５】
【特許文献１】特開２００４−２２３１２６号公報
【発明の概要】
【発明が解決しようとする課題】
【０００６】
以上のような方法で棚板が取り付けられていた従来のスロットマシンでは、例えば次のような問題があった。即ち、棚板を左右の側板に直接ネジ止めするスロットマシンの場合には、部品点数を少なくできるという利点はあるが、棚板の取付作業中は棚板を常に略水平に保持しておく必要があるため、一人で作業することが難しいという欠点があった。
【０００７】
また、左右の取付金具を介して棚板を固定するスロットマシンの場合には、一人でも容易に棚板の取付作業を行うことができるものの、左右の取付金具を夫々側板に固定した後、棚板をそれら取付金具に固定する必要があるため、作業に時間がかかり、更に部品点数が多くなるという欠点もあった。
【０００８】
本発明は、このような従来の問題点に鑑み、部品点数を低く抑えつつ、一人でも容易に棚板の取付を行うことが可能な遊技機を提供することを目的とする。
【課題を解決するための手段】
【０００９】
本発明は、筐体１を構成する左右一対の側板４ａ，４ｂ間に略水平に架設される中間棚１５を備えた遊技機において、前記中間棚１５は、一方の第１側板４ｂに固定される第１部材４１と、他方の第２側板４ａに固定される第２部材４２とで構成され、前記第１部材４１は、前記第１，第２側板４ａ，４ｂ間に略水平に配置される棚板部４３と、この棚板部４３の前記第１側板４ｂ側端部に設けられ且つ前記第１側板４ｂに固定される第１固定部４５とを備え、前記第２部材４２は、前記第２側板４ａに固定される第２固定部５６と、前記棚板部４３の前記第２側板４ａ側端部を支持する棚受部５４とを備え、前記棚板部４３と前記棚受部５４とを互いに係合したものである。
【発明の効果】
【００１０】
本発明によれば、例えば棚板の左右を夫々別個の取付金具により固定する場合と比べて部品点数を少なくすることができる。しかも、第２部材４２を取り付けてから第１部材４１を取り付けるようにすれば、第１部材４１を取り付ける際にはその一端側を第２部材４２により支持させた状態で他端側（第１固定部４５）の固定作業を行うことができるため、一人でも容易に取付作業を行うことができる。
【図面の簡単な説明】
【００１１】
【図１】本発明の一実施形態に係るスロットマシンの全体斜視図である。
【図２】本体ケース側の正面図である。
【図３】本体ケース側の要部側面断面図である。
【図４】本体ケース側の平面断面図である。
【図５】中間棚を構成する第１部材と第２部材の斜視図である。
【図６】中間棚を構成する第１部材の斜視図である。
【図７】中間棚を構成する第１部材と第２部材の正面断面図である。
【図８】第２部材の取付手順を示す説明図である。
【図９】第１部材の取付手順を示す説明図である。
【図１０】中間棚の取付手順を示す説明図である。
【発明を実施するための形態】
【００１２】
以下、本発明の実施形態を図面に基づいて詳述する。図１〜図１５は、本発明をスロットマシンとして具現化した一実施形態を例示している。図１及び図２において、１は遊技機の筐体で、本体ケース２と、この本体ケース２の前側に配置された矩形状の前面パネル３とを備えている。
【００１３】
本体ケース２は、例えば木製で、左右一対の側板４ａ，４ｂと、それら左右の側板４ａ，４ｂの上下両端側を左右に連結する上板５及び底板６と、背面側を略塞ぐ背板７とで前側が開放した箱形に形成されており、その前側を開閉自在に閉鎖するように前面パネル３が装着されている。
【００１４】
本体ケース２内には、図２に示すように、複数の図柄表示リール８ａ〜８ｃを左右方向に配列した表示リールユニット９の他、メダル払い出し装置１０、メダル補助ケース１１、電源基板が格納された電源基板ケース１２、主制御基板が格納された主制御基板ケース１３等が配置されている。
【００１５】
表示リールユニット９は、左右の側板４ａ，４ｂ間に架設された中間棚１５上に着脱自在に装着されている。なお、中間棚１５の詳細については後述する。
【００１６】
メダル払い出し装置１０は、払い出し用のメダルを貯留するメダルホッパー１６、このメダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。
【００１７】
また、例えば電源基板ケース１２は向かって左側の左側板４ａの下部側に、主制御基板ケース１３は背板７の前面側で且つ中間棚１５の下側に、夫々着脱自在に装着されている。
【００１８】
前面パネル３は、左右一端側、例えば向かって左側に配置されたヒンジを介して本体ケース２に対して開閉自在に装着されており、図１に示すように、その上部側には第１表示窓２１と第２表示窓２２とが上下に配置されている。
【００１９】
第１表示窓２１は、本体ケース２側の図柄表示リール８ａ〜８ｃに対応して矩形状に形成されており、遊技者はこの第１表示窓２１を介して図柄表示リール８ａ〜８ｃを前側から視認可能となっている。
【００２０】
また、第２表示窓２２は、前面パネル３の裏側に装着された液晶表示ユニット（図示省略）の表示画面２３に対応して例えば第１表示窓２１よりも大型の矩形状に形成されており、遊技者はこの第２表示窓２２を介して表示画面２３を前側から視認可能となっている。
【００２１】
また、例えば第２表示窓２２の下側に横長状に設けられた操作パネル部２４には、遊技媒体としてのメダルを投入可能なメダル投入口２５、このメダル投入口２５内に詰まったメダルを返却させるための返却ボタン２５ａの他、メダル投入口２５へのメダル投入に代えてクレジットからメダルをベットするための１ベットボタン２６、マックスベットボタン２７及びキャンセルボタン２８、図柄表示リール８ａ〜８ｃの回転を開始させるためのスタートレバー２９、回転中の図柄表示リール８ａ〜８ｃを夫々個別に停止させるためのストップボタン３０ａ〜３０ｃ等が設けられている。
【００２２】
前面パネル３の下端部前側には、メダル払い出し手段１７から払い出されたメダルや返却されたメダルを前側に排出するための排出口３１が設けられ、その前側に、排出口３１から排出されたメダルを受けるメダル受け皿３２が横長状に配置されている。
【００２３】
続いて、中間棚１５の詳細について説明する。中間棚１５は、図２〜図４等に示すように、本体ケース２の左右の側板４ａ，４ｂのうちの一方、例えば向かって右側の右側板  （第１側板）４ｂに固定される第１部材４１と、他方の側板、例えば向かって左側の左側板（第２側板）４ａに固定される第２部材４２とで構成されている。
【００２４】
第１部材４１は、例えばステンレス等の金属製で、図５〜図７，図９等に示すように、左右の側板４ａ，４ｂの間に略水平に配置される棚板部４３と、この棚板部４３の左右一端側に右側板４ｂに沿って設けられ且つボルト４４ａとナット４４ｂ等の固定手段（図９）により右側板４ｂに着脱自在に固定される第１固定部４５とを例えば一体に備えている。
【００２５】
棚板部４３は、図４に示すように、その左右方向幅が左右の側板４ａ，４ｂ間の間隔よりも若干短く、第１固定部４５を右側板４ｂに固定したとき、第１固定部４５とは反対側の端部４３ａ（以下、被支持端部４３ａという）が左側板４ａの近傍に位置するようになっている。
【００２６】
棚板部４３には、表示リールユニット９を左右方向に位置決めするための上向き突出状の位置決めリブ４６、ハーネスを通すための配線孔４７等が設けられており、更に被支持端部４３ａ側には、第２部材４２側に係合可能な係合部４８が一体に設けられている。係合部４８は、被支持端部４３ａに沿って前後方向に１又は複数個（例えば２個）設けられており、例えば被支持端部４３ａから略水平に突設された板状片を、その突出方向（左右方向）の２箇所で下向きに夫々直角に折り曲げることにより、棚板部４３の下側に突出し且つ第１固定部４５側に向かう断面略コの字型に形成されている。
【００２７】
第１固定部４５は、例えば棚板部４３の端部を所定幅で上向き（又は下向き）に折り曲げることにより形成されている。同様に、棚板部４３には、その前縁側及び後縁側を所定幅で例えば下向きに折り曲げることにより夫々折り曲げ部４９，５０が形成されている。
【００２８】
更に、棚板部４３の後端部には、表示リールユニット９の後端側に係合して固定するためのリール固定爪５１が設けられ、前側の前折り曲げ部４９には、表示リールユニット９の前端側を固定するリール固定部材５２（図２，図３）を嵌合させるためのリール固定孔５３が設けられている。
【００２９】
リール固定爪５１は、棚板部４３の後端部から後ろ向きに突設された板状片を、その突出方向（前後方向）の２箇所で上向きに夫々直角に折り曲げることにより、棚板部４３の上側に突出し且つ前向きの断面略コの字型に形成されている。
【００３０】
第２部材４２は、例えばステンレス等の金属製で、図５，図７〜図９等に示すように、第１部材４１側の被支持端部４３ａの下側に重なるように略水平に配置され且つ被支持端部４３ａを下側から支持する棚受部５４と、この棚受部５４の左右一端側に左側板４ａに沿って設けられ且つボルト５５ａとナット５５ｂ等の固定手段（図８）の固定手段により左側板４ａに着脱自在に固定される第２固定部５６とを例えば一体に備えた断面Ｌ字型に形成されている。
【００３１】
棚受部５４には、第１部材４１側の係合部４８に対応して１又は複数の開口部５７が形成されており、その開口部５７の第１部材４１側（本実施例では右側）の内縁部に、係合部４８が左右方向に係合可能な係合受け部５８が形成されている。
【００３２】
係合受け部５８は、例えば棚受部５４の一部を下向きに折り曲げることにより下向き突出状に形成され、その係合受け部５８の上下方向幅（棚受部５４の板厚＋係合受け部５８の下向き突出幅）は係合部４８の内寸と略一致しており、係合部４８がこの係合受け部５８に上下方向のがたつきなく係合可能となっている。
【００３３】
以上のような中間棚１５を本体ケース２に取り付ける際には、図８及び図１０（ａ）に示すように、まず第２部材４２の第２固定部５６を左側板４ａの内面側所定位置に沿わせ、棚受部５４を水平に保った状態で、その第２固定部５６をボルト５５ａとナット５５ｂとにより左側板４ａに固定する。
【００３４】
続いて、図１０（ｂ），（ｃ）に示すように、第１部材４１を略水平に保持しつつ、その係合部４８を第２部材４２側の対応する開口部５７に上側から嵌合させ、第１固定部４５が右側板４ｂの内面に当接するまで、第１部材４１を右側板４ｂ側にスライドさせる。このとき、係合部４８が係合受け部５８に対して左側から係合し、第１部材４１側の被支持端部４３ａは第２部材４２側の棚受部５４に対して上下方向に結合される。
【００３５】
最後に、図９及び図１０（ｄ）に示すように、棚板部４３を水平に保ったまま、第１固定部４５をボルト４４ａとナット４４ｂとにより右側板４ｂに固定すればよい。これにより、棚板部４３は、その右端側については第１固定部４５を介して、左端側は第２部材４２を介して、夫々左右の側板４ａ，４ｂにより確実に支持される。
【００３６】
以上説明したように、本実施形態のスロットマシンは、中間棚１５が、一方の右側板４ｂに固定される第１部材４１と、他方の左側板４ａに固定される第２部材４２とで構成され、第１部材４１は、左右の側板４ａ，４ｂ間に略水平に配置される棚板部４３と、この棚板部４３の右側板４ｂ側端部に設けられ且つ第１部材４１側に固定される第１固定部４５とを備え、第２部材４２は、左側板４ａに固定される第２固定部５６と、棚板部４３の被支持端部４３ａ（左側板４ａ側端部）を支持する棚受部５４とを備えているため、例えば棚板の左右を夫々別個の取付金具により固定する場合と比べて部品点数を少なくすることができる。
【００３７】
また、第２部材４２を取り付けてから第１部材４１を取り付けるようにすれば、第１部材４１を取り付ける際にはその一端側（被支持端部４３ａ）を第２部材４２により支持させた状態で他端側（第１固定部４５）の固定作業を行うことができるため、一人でも容易に取付作業を行うことができる。
【００３８】
しかも、棚板部４３に設けられる係合部４８と、棚受部５４に設けられ且つ係合部４８が左右方向に係合可能な係合受け部５８とを備え、第１部材４１と第２部材４２とを右側板４ｂと左側板４ａとに夫々固定したときに係合部４８が係合受け部５８に係合して、棚板部４３の被支持端部４３ａ（左側板４ａ側端部）が棚受部５４に対して上下方向に固定されるように構成されているため、第１部材４１と第２部材４２とを固定ネジ等を用いることなく単に係合させることにより極めて容易に固定でき、しかも第１部材４１と第２部材４２とを左右の側板４ａ，４ｂに固定している限りその係合が解除されることもない。
【００３９】
以上、本発明の実施形態について詳述したが、本発明はこれらの実施形態に限定されるものではなく、本発明の趣旨を逸脱しない範囲で種々の変更が可能である。例えば、第１部材４１と第２部材４２とは、左右逆に配置してもよい。また、係合部４８を第２部材４２側に、係合受け部５８を第１部材４１側に設けてもよい。
【００４０】
第２部材４２の棚受部５４は、実施形態のように棚板部４３を下から支持することが望ましいが、例えば係合部４８と係合受け部５８とが上下方向に十分な強度で係合される場合には、棚板部４３を上側から支持するように構成してもよい。
【００４１】
第１部材４１と第２部材４２との係合構造は任意である。また、例えば第１部材４１と第２部材４２とを固定ネジ等の固定手段により互いに結合するようにしてもよい。また、第１，第２部材４１，４２の側板４ａ，４ｂへの固定には任意の固定手段を用いることができる。
【００４２】
第２部材４２は、側板４ａ側だけでなく背板７側にも固定するように構成してもよいし、背板７側にのみ固定するように構成してもよい。
【００４３】
第１部材４１側についても、側板４ｂ側だけでなく背板７側にも固定するように構成してもよいし、背板７側にのみ固定するように構成してもよい。
【００４４】
第２部材４２は、第１部材４１側の端部を支持できる構成であればよく、例えば第２部材４２の奥行き方向の幅を第１部材４１のそれより小さくしてもよい。
【００４５】
第２部材４２を例えば筐体１の奥行き方向に複数配置し、各第２部材４２に１個又は複数個の係合受け部５８を設けてもよい。
【００４６】
中間棚１５は、表示リールユニット９を取り付けるためのものに限られず、例えば液晶等の他の表示手段、制御基板、メダル払い出し装置１０等を取り付けるためのものであってもよい。
【００４７】
また、中間棚１５は筐体１内のどの高さ位置に配置してもよいし、筐体１内に２つ以上設けてもよい。
【００４８】
なお、実施形態では、本発明をスロットマシンに適用した例を示したが、筐体１内に中間棚１５を備えるものであればどのような種類の遊技機においても同様に実施可能であることは言うまでもない。
【符号の説明】
【００４９】
１    筐体
４ａ  左側板（第２側板）
４ｂ  右側板（第１側板）
１５    中間棚
４１    第１部材
４２    第２部材
４３    棚板部
４５    第１固定部
４８    係合部
５４    棚受部
５６    第２固定部
５８    係合受け部
【図１】
0004800430.tif 000002
【図２】
0004800430.tif 000003
【図３】
0004800430.tif 000004
【図４】
0004800430.tif 000005
【図５】
0004800430.tif 000006
【図６】
0004800430.tif 000007
【図７】
0004800430.tif 000008
【図８】
0004800430.tif 000009
【図９】
0004800430.tif 000010
【図１０】
0004800430.tif 000011